(57)【要約】【課題】  自然な照明や癒し効果を与える照明を提供する。【解決手段】  投光面に対し、投光面から順に複数のピンホールを有する板材と、ライトバルブと、よりなり、前記ライトバルブは、発光部と、発光部を内包するバルブと、発光部に電力を取り込む口金部よりなり、外側に発光を導出する前記バルブ面の光導出形状が意匠性を有する形状であり、前記意匠性を有する形状は拡散面であり、前記投光面と前記板材との距離をａ１、前記板材と前記ライトバルブとの距離をａ２、ライトバルブによる光源の大きさをｂ１、前記板材のピンホールのピッチをｂ２としたときに以下の条件式を満たすことを特徴とする照明装置または照明方法。ｂ１＜２（（ａ１＋ａ２）／ａ２）＊ｂ２…（１）【選択図】図１
2007207735.tif 000002
【特許請求の範囲】
【請求項１】
投光面に対し、投光面から順に複数のピンホールを有する板材と、ライトバルブと、よりなり、
前記ライトバルブは、発光部と、発光部を内包するバルブと、発光部に電力を取り込む口金部よりなり、外側に発光を導出する前記バルブ面の光導出形状が意匠性を有する形状であり、前記意匠性を有する形状は拡散面であり、
前記ライトバルブと前記板材との距離をａ１、前記板材と前記投光面との距離をａ２、ライトバルブによる光源の大きさをｂ１、前記板材のピンホールのピッチをｂ２としたときに以下の条件式を満たすことを特徴とする照明装置または照明方法。
ｂ１＜２（（ａ１＋ａ２）／ａ２）＊ｂ２…（１）
【請求項２】
前記ピンホールの全数をｄａ、（１）を満たさないピンホールの数をｄｐとしたときに以下の条件式を満たすことを特徴とする請求項１記載の照明装置。
ｄｐ／ｄａ＞０．７…（２）
【請求項３】
前記ライトバルブと前記板材との距離をａ１、前記板材と前記投光面との距離をａ２、前記板材のピンホールの大きさｃは以下の条件式を満たすことを特徴とする請求項１記載の照明装置または照明方法。
２ａ１＞ａ２…（３）
０．０１ｍ＜ａ２＜２０ｍ…（４）
０．５ｍｍ＜ｃ＜５０ｍｍ…（５）
【請求項４】
前記ライトバルブと前記板材との距離をａ１、前記板材と前記投光面との距離をａ２は以下の条件式を満たすことを特徴とする請求項１記載の照明装置または照明方法。
ａ１＞２ａ２…（６）
２ｍ＜ａ２＜２０ｍ…（７）
１０ｍｍ＜ｃ＜５０ｍｍ…（８）
【請求項５】
前記ライトバルブと前記板材との距離をａ１、前記板材と前記投光面との距離をａ２は以下の条件式を満たすことを特徴とする請求項１記載の照明装置または照明方法。
ａ１＞ａ２…（９）
０．０１ｍ＜ａ２＜５ｍ…（１０）
５ｍｍ＜ｃ＜３０ｍｍ…（１１）
【請求項６】
前記ライトバルブと前記板材との距離をａ１、前記板材と前記投光面との距離をａ２は以下の条件式を満たすことを特徴とする請求項１記載の照明装置または照明方法。
ａ１＞ａ２…（１２）
０．０１ｍ＜ａ２＜２ｍ…（１３）
０．５ｍｍ＜ｃ＜１０ｍｍ…（１４）
【請求項７】
発光部と、発光部を内包するバルブと、発光部に電力を取り込む口金部よりなり、
外側に発光を導出する前記バルブ面が拡散面であり、光導出形状が意匠性を有する形状であることを特徴とするライトバルブ。
【請求項８】
前記幾何形状は５つの頂点を有する星型であることを特徴とする、請求項１または１または７記載の照明装置または照明方法またはライトバルブ。
【請求項９】
前記板材の板面は透光性のある部材であることを特徴とする、請求項１記載の照明装置または照明方法または板材。
【請求項１０】
前記板材の透光率αが以下の条件式をみたすことを特徴とする請求項９記載の照明装置または照明方法または板材。
３０％＜α＜７０％…（１５）
【請求項１１】
前記板材が面垂直方向に複数毎積み上げられていることを特徴とする請求項１０記載の照明装置または照明方法または板材。
【請求項１２】
前記板面の一面は反射面であることを特徴とする請求項１記載の照明装置または照明方法または板材。
【請求項１３】
前記ライトバルブの光導出面の拡散度合いは、前記板材のピンホールが設置されている面の大きさの＋５０％以内の大きさになるように設定されていることを特徴とする請求項１２記載の照明装置または照明方法または板材。
【請求項１４】
前記板材の前記ピンホール形状は、前記バルブ面の意匠性を有する光導出形状とは異なることを特徴とする請求項１記載の照明装置または照明方法または板材。
【請求項１５】
前記板材は複数の板材よりなり、その組み合わせによりピンホールを生成することを特徴とする請求項１記載の照明装置または照明方法または板材。
【請求項１６】
前記複数の板材はスリット様であり、それぞれの板材のスリットが平行にならないように組み合わせることによりピンホールを生成することを特徴とする請求項１５記載の照明装置または照明方法または板材。
【請求項１７】
前記板材のピンホールは、一方の面側の大きさともう一方の面側の大きさが異なることを特徴とする請求項１記載の照明装置または照明方法または板材。
【請求項１８】
前記板材のピンホールは、前記板材の面における垂直方向において、一方の面側のピンホール位置ともう一方の面側のピンホール位置が異なることを特徴とする請求項１記載の照明装置または照明方法または板材。
【発明の詳細な説明】
【技術分野】
【０００１】  本発明は、住宅やオフィスなどの屋内照明または街路や公園における屋外照明に関する。特にライトバルブとその光を可変するための板材と、前記ライトバルブと前記板材を用いた照明装置と、前記ライトバルブと自然の造形物を用いた照明装置および照明方法およびライトバルブおよび板材に関する。
【背景技術】
【０００２】  従来住宅やオフィスなどの屋内照明には円形や棒状の蛍光灯や、球状の白熱電球、ハロゲンランプ、放電ランプを使用している。一方で照明に関する要望は多用に広がってきており、光度、配光、色温度を変化できるようになりつつある。光度、配光、色温度を変化できる照明装置ついて言及した先行技術文献としては、特許文献１がある。
【特許文献１】  特開平１１−１４４５１０公報
【発明の開示】
【発明が解決しようとする課題】
【０００３】  一方で自然な照明や癒し効果を与える照明が所望されている。ところが、光度、配光、色温度を変化できる照明装置では、太陽光や朝の光などの光を再現することはできるが、その光が作り出す木漏れ日を再現することはできない。【０００４】  以上の問題を鑑み、本発明は、自然な照明や癒し効果を与える照明であるだけでなく、とくに木々の隙間を通り抜けてきた太陽の光が作り出す木漏れ日を再現することを目的とする。
【課題を解決するための手段】
【０００５】  上記目的を達成するために、請求項１に係る発明は、投光面に対し、投光面から順に複数のピンホールを有する板材と、ライトバルブと、よりなり、
前記ライトバルブは、発光部と、発光部を内包するバルブと、発光部に電力を取り込む口金部よりなり、外側に発光を導出する前記バルブ面の光導出形状が意匠性を有する形状であり、前記意匠性を有する形状は拡散面であり、
前記ライトバルブと前記板材との距離をａ１、前記板材と前記投光面との距離をａ２、ライトバルブによる光源の大きさをｂ１、前記板材のピンホールのピッチをｂ２としたときに以下の条件式
ｂ１＜２（（ａ１＋ａ２）／ａ２）＊ｂ２…（１）
を満たすことを特徴とする照明装置または照明方法。【０００６】上記目的を達成するために、請求項２に係る発明は、上記目的を達成するために、請求項２に係る発明は、前記ピンホールの全数をｄａ、（１）を満たさないピンホールの数をｄｐとしたときに以下の条件式
ｄｐ／ｄａ＞０．７…（２）
を満たすことを特徴とする請求項１記載の照明装置。【０００７】  上記目的を達成するために、請求項３に係る発明は、前記ライトバルブと前記板材との距離をａ１、前記板材と前記投光面との距離をａ２、前記板材のピンホールの大きさｃは以下の条件式を
２ａ１＞ａ２…（３）
０．０１ｍ＜ａ２＜２０ｍ…（４）
０．５ｍｍ＜ｃ＜５０ｍｍ…（５）
満たすことを特徴とする請求項１記載の照明装置または照明方法。【０００８】  上記目的を達成するために、請求項４に係る発明は、前記ライトバルブと前記板材との距離をａ１、前記板材と前記投光面との距離をａ２は以下の条件式
ａ１＞２ａ２…（６）
２ｍ＜ａ２＜２０ｍ…（７）
１０ｍｍ＜ｃ＜５０ｍｍ…（８）
を満たすことを特徴とする請求項１記載の照明装置または照明方法。【０００９】  上記目的を達成するために、請求項５に係る発明は、前記ライトバルブと前記板材との距離をａ１、前記板材と前記投光面との距離をａ２は以下の条件式
ａ１＞ａ２…（９）
０．０１ｍ＜ａ２＜５ｍ…（１０）
５ｍｍ＜ｃ＜３０ｍｍ…（１１）
を満たすことを特徴とする請求項１記載の照明装置または照明方法。【００１０】  上記目的を達成するために、請求項６に係る発明は、前記ライトバルブと前記板材との距離をａ１、前記板材と前記投光面との距離をａ２は以下の条件式
ａ１＞ａ２…（１２）
０．０１ｍ＜ａ２＜２ｍ…（１３）
０．５ｍｍ＜ｃ＜１０ｍｍ…（１４）
を満たすことを特徴とする請求項１記載の照明装置または照明方法。【００１１】  上記目的を達成するために、請求項７に係る発明は、発光部と、発光部を内包するバルブと、発光部に電力を取り込む口金部よりなり、
外側に発光を導出する前記バルブ面が拡散面であり、光導出形状が意匠性を有する形状であることを特徴とするライトバルブである。【００１２】  上記目的を達成するために、請求項８に係る発明は、前記幾何形状は５つの頂点を有する星型であることを特徴とする、請求項１または１または７記載の照明装置または照明方法またはライトバルブである。【００１３】  上記目的を達成するために、請求項９に係る発明は、前記板材の板面は透光性のある部材であることを特徴とする、請求項１記載の照明装置または照明方法または板材である。【００１４】  上記目的を達成するために、請求項１０に係る発明は、前記板材の透光率αが以下の条件式
３０％＜α＜７０％…（１５）
をみたすことを特徴とする請求項９記載の照明装置または照明方法または板材である。【００１５】  上記目的を達成するために、請求項１１に係る発明は、前記板材が面垂直方向に複数毎積み上げられていることを特徴とする請求項１０記載の照明装置または照明方法または板材である。【００１６】  上記目的を達成するために、請求項１２に係る発明は、前記板面の一面は反射面であることを特徴とする請求項１記載の照明装置または照明方法または板材である。【００１７】  上記目的を達成するために、請求項１３に係る発明は、前記ライトバルブの光導出面の拡散度合いは、前記板材のピンホールが設置されている面の大きさの＋５０％以内の大きさになるように設定されていることを特徴とする請求項１２記載の照明装置または照明方法または板材である。【００１８】  上記目的を達成するために、請求項１４に係る発明は、前記板材の前記ピンホール形状は、前記バルブ面の意匠性を有する光導出形状とは異なることを特徴とする請求項１記載の照明装置または照明方法または板材である。【００１９】  上記目的を達成するために、請求項１５に係る発明は、前記板材は複数の板材よりなり、その組み合わせによりピンホールを生成することを特徴とする請求項１記載の照明装置または照明方法または板材である。【００２０】成するために、請求項１６に係る発明は、前記複数の板材はスリット様であり、それぞれの板材のスリットが平行にならないように組み合わせることによりピンホールを生成することを特徴とする請求項１５記載の照明装置または照明方法または板材である。【００２１】  上記目的を達成するために、請求項１７に係る発明は、前記板材のピンホールは、一方の面側の大きさともう一方の面側の大きさが異なることを特徴とする請求項１記載の照明装置または照明方法または板材である。【００２２】  上記目的を達成するために、請求項１８に係る発明は、前記板材のピンホールは、前記板材の面における垂直方向において、一方の面側のピンホール位置ともう一方の面側のピンホール位置が異なることを特徴とする請求項１記載の照明装置または照明方法または板材である。
【発明の効果】
【００２３】  請求項１に記載した発明により、屋内や屋外において木々の隙間を通り抜けてきた太陽の光が作り出す木漏れ日を再現することが可能となる。
また条件式
ｂ１＜２（（ａ１＋ａ２）／ａ２）＊ｂ２…（１）
において、投影面における木漏れ日同士が重なる度合いが半分以下となるため、木漏れ日効果が失われることが無い。すなわち逆の関係になってしまうと、投影面上で木漏れ日同士が重なってしまい、意匠形状が失われてしまい、普通の照明となんら変わりなくなってしまう。【００２４】  請求項２に記載した発明により、条件式
ｄｐ／ｄａ＞０．７…（２）
において、生成する複数の投影面における木漏れ日同士が重なる度合いが半分以下なものが多くを占めるので、生成する意匠形状が十分の確認できる。【００２５】  請求項３に記載した発明により、前記投光面と前記板材との距離ａ１と、前記板材と前記ライトバルブとの距離ａ２、前記板材のピンホールの大きさｃは
条件式
２ａ１＞ａ２…（３）
において、この関係を満たさないと木漏れ日が視認できる明るさを得られないだけでなく、形状がぼやけてしまう。
０．０１ｍ＜ａ２＜２０ｍ…（４）
において、この関係は実用性のある大きさを示し、工業製品化が可能であることを示す。
また条件式
０．５ｍｍ＜ｃ＜５０ｍｍ…（５）
において、下限を下回ると十分な光量を得ることができなくなり、上限を上回ると十分な意匠形状が得られなくなる。また意匠形状を有するため通常の太陽光による木漏れ日である円形とは異なる木漏れ日を発生させることができる。【００２６】  請求項４に記載した発明により、前記投光面と前記板材との距離ａ１と、前記板材と前記ライトバルブとの距離ａ２、前記板材のピンホールの大きさｃは
条件式
ａ１＞２ａ２…（６）
において、この関係を満たさないと木漏れ日が視認できる明るさを得られないだけでなく、形状がぼやけてしまう。
また条件式
２ｍ＜ａ２＜２０ｍ…（７）
において、この関係は実用性のある大きさを示し、工業製品化が可能であることを示す。特に街灯や公園、森林を利用して木漏れ日を形成することができる。
また条件式
１０ｍｍ＜ｃ＜５０ｍｍ…（８）
において、特に条件式（７）において、下限を下回ると十分な光量を得ることができなくなり、上限を上回ると十分な意匠形状が得られなくなる。また意匠形状を有するため通常の太陽光による木漏れ日である円形とは異なる木漏れ日を発生させることができる。【００２７】  請求項５に記載した発明により、前記投光面と前記板材との距離ａ１と、前記板材と前記ライトバルブとの距離ａ２、前記板材のピンホールの大きさｃは
条件式
ａ１＞ａ２…（９）
において、この関係を満たさないと木漏れ日が視認できる明るさを得られないだけでなく、形状がぼやけてしまう。
また条件式
０．０１ｍ＜ａ２＜５ｍ…（１０）
において、この関係は実用性のある大きさを示し、工業製品化が可能であることを示す。特に室内において木漏れ日を形成することができる。
また条件式
５ｍｍ＜ｃ＜３０ｍｍ…（１１）
において、特に条件式（１０）において、下限を下回ると十分な光量を得ることができなくなり、上限を上回ると十分な意匠形状が得られなくなる。また意匠形状を有するため通常の太陽光による木漏れ日である円形とは異なる木漏れ日を発生させることができる。【００２８】  請求項６に記載した発明により、前記投光面と前記板材との距離ａ１と、前記板材と前記ライトバルブとの距離ａ２、前記板材のピンホールの大きさｃは
条件式
ａ１＞ａ２…（１２）
において、この関係を満たさないと木漏れ日が視認できる明るさを得られないだけでなく、形状がぼやけてしまう。
また条件式
０．０１ｍ＜ａ２＜２ｍ…（１３）
において、この関係は実用性のある大きさを示し、工業製品化が可能であることを示す。特に卓上もしくは机下において木漏れ日を形成することができる。
また条件式
０．５ｍｍ＜ｃ＜１０ｍｍ…（１４）
において、特に条件式（１３）において、下限を下回ると十分な光量を得ることができなくなり、上限を上回ると十分な意匠形状が得られなくなる。また意匠形状を有するため通常の太陽光による木漏れ日である円形とは異なる木漏れ日を発生させることができる。【００２９】  請求項７に記載した発明により、前記意匠面が拡散面であるために照明効果を有しながら、光源が意匠形状を有するために光源を直接見ることで意匠形状を楽しむことができる。【００３０】  請求項８に記載した発明により、前記意匠面が５つの頂点を有する星型のために、通常の光源形状とは異なることがわかりやすく、また通常の太陽光による木漏れ日である円形とは異なる５つの頂点を有する星型の木漏れ日を発生させることができる。【００３１】  請求項９に記載した発明により、ピンホールを通した木漏れ日照明だけでなく、ピンホール以外を透過する光によって通常の照明も行うことが可能になる。【００３２】  請求項１０に記載した発明により、条件式
３０％＜α＜７０％
において、下限を下回ると十分な照明効果が得られなくなり、上限を上回ると木漏れ日効果が消失してしまう。【００３３】  請求項１１に記載した発明により、投影方向に対する距離差ができるので、異なる大きさの木漏れ日を生成することができる。【００３４】  請求項１２に記載した発明により、ピンホールを透過しない、すなわち利用しない光を反対面に返すことができる、特に室内においては、間接照明に利用することができる。【００３５】  請求項１３に記載した発明により、光源の光を無駄なく効率的に板材を照明することになる。また板材より大きい部分を少し持たせることで、木漏れ日が投影される投影面以外に通常照明を行うことができる。【００３６】  請求項１４に記載した発明により、前記板材の前記ピンホール形状は、前記バルブ面の意匠性を有する光導出形状とは異なることで、観察者に意外性を与えることができる。【００３７】  請求項１５に記載した発明により、前記板材は複数の板材よりなり、その組み合わせによりピンホールを生成することができるので、多様なピンホール形状を生成することができる。【００３８】  請求項１６に記載した発明により、前記複数の板材はスリット様であり、それぞれの板材のスリットが平行にならないように組み合わせることによりピンホールを生成することができるので、簡易な操作で多様なピンホール形状を生成することができる。【００３９】  請求項１７に記載した発明により、前記板材のピンホールは、一方の面側の大きさともう一方の面側の大きさが異なるので、厚さに起因する実質的なピンホールの大きさを軽減することができる。【００４０】  請求項１８に記載した発明により、前記板材のピンホールは、前記板材の面における垂直方向において、一方の面側のピンホール位置ともう一方の面側のピンホール位置が異なる、厚さに起因する実質的なピンホールの大きさを軽減することができる。
【発明を実施するための最良の形態】
【００４１】  次に本発明による照明装置および照明方法およびライトバルブが実際上どのように具体化されるか実施形態を説明する。図１および図２は本発明の実施形態の照明装置および照明方法の原理全体を説明する図である。光源は反射傘２および拡散板３および斜光板および開口部４よりなる。図１は点線部の目線から見た図になっており、光源及び板材５は下から見上げた様子、投影面６は上から見下ろした様子を示している。図２は投影方向を縦軸にとった断面による模式図である。光源には反射傘２が設けられている。板材５にはピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。とくに図示の意匠は５つの頂点を有する星型をしており、太陽光による円形とは異なっているので、自然界では得られない木漏れ日を形成している。【００４２】  また前記投光面と前記板材との距離をａ１、前記板材と前記ライトバルブとの距離をａ２、ライトバルブによる光源の大きさをｂ１、前記板材のピンホールのピッチをｂ２、前記板材のピンホールの大きさをｃとしたときに、以下の条件
ｂ１＜２（（ａ１＋ａ２）／ａ２）＊ｂ２…（１）
を満たしている。これらを図３を用いて説明する。
光源の大きさｂ１がピンホールを通過した投影面上の大きさをｂ１’、複数のピンホールによる光源群の投影面上の距離をｂ２’とすると、
ｂ１’＝（ａ２／ａ１）＊ｂ１
ｂ２’（（ａ１＋ａ２）／ａ１）＊ｂ２
である。【００４３】条件式
ｂ１＜２（（ａ１＋ａ２）／ａ２）＊ｂ２…（１）
は光源の投影面上の大きさｂ２’とピンホールの投影面上のピッチｂ１’にから得られるものであり、投影された光源の重なりが５０％以下になるように、
ｂ１’＜２ｂ２’
より求めたもので、この条件式を満たすことにより、投影面における木漏れ日同士が重なる度合いが半分以下となるため、木漏れ日効果が失われることが無い。すなわち逆の関係になってしまうと、投影面上で木漏れ日同士が重なってしまい、意匠形状が失われてしまい、普通の照明となんら変わりなくなってしまう。【００４４】  図４は複数のピンホールがある場合の投影方向を縦軸にとった断面による模式図である。図２の板材５に複数のピンホールがあり、それぞれのピンホールを通った光源からの光が投影面上に投影されている。図では中央のピンホールにより形成される実線で示される投影光と、他のピンホールにより形成される二点差線で示される投影光を示している。なお、他のピンホールによる投影光は図示の都合上、板材５のピンホールの個数には対応していない。
前記ピンホールの全数をｄａ、（１）を満たさないピンホールの数をｄｐとしたときに以下の条件式
ｄｐ／ｄａ＞０．７…（２）
を満たすことにより、生成する複数の投影面における木漏れ日同士が重なる度合いが半分以下なものが多くを占めるので、生成する意匠形状が十分の確認できる。【００４５】  図５は本発明の第１の実施形態の照明装置を説明する図である。これは屋外における実施例で、街頭の照明に本発明による光源が取り付けられている。
光源は反射傘２および拡散板３および斜光板および開口部４よりなる。図６は人間の目線から見た図になっており、光源及び板材５は下から見上げた様子、投影面６は上から見下ろした様子を示している。光源には反射傘２が設けられている。街灯の中央近傍に設けられた板材５にはピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。とくに図示の意匠は５つの頂点を有する星型をしており、太陽光による円形とは異なっているので、自然界では得られない木漏れ日を形成している。【００４６】  また前記投光面と前記板材との距離をａ１、前記板材と前記ライトバルブとの距離をａ２、ライトバルブによる光源の大きさをｂ１、前記板材のピンホールのピッチをｂ２、前記板材のピンホールの大きさをｃとしたときに、以下の条件
ｂ１＜２（（ａ１＋ａ２）／ａ２）＊ｂ２…（１）
を満たしている。これらを図３を用いて説明する。
光源の大きさｂ１がピンホールを通過した投影面上の大きさをｂ１’、複数のピンホールによる光源群の投影面上の距離をｂ２’とすると、
ｂ１’＝（ａ２／ａ１）＊ｂ１
ｂ２’（（ａ１＋ａ２）／ａ１）＊ｂ２
である。【００４７】  条件式（１）は光源の投影面上の大きさｂ２’とピンホールの投影面上のピッチｂ１’にから得られるものであり、投影された光源の重なりが５０％以下になるように、
ｂ１’＜２ｂ２’
より求めたもので、この条件式を満たすことにより、投影面における木漏れ日同士が重なる度合いが半分以下となるため、木漏れ日効果が失われることが無い。すなわち逆の関係になってしまうと、投影面上で木漏れ日同士が重なってしまい、意匠形状が失われてしまい、普通の照明となんら変わりなくなってしまう。【００４８】  条件式
ａ１＞２ａ２…（６）
において、この関係を満たさないと木漏れ日が視認できる明るさを得られないだけでなく、形状がぼやけてしまう。
また条件式
２ｍ＜ａ２＜２０ｍ…（７）
において、この関係は実用性のある大きさを示し、工業製品化が可能であることを示す。特に街灯や森林を利用した木漏れ日を形成することができる。
また条件式
１０ｍｍ＜ｃ＜５０ｍｍ…（８）
において、特に条件式（７）において、下限を下回ると十分な光量を得ることができなくなり、上限を上回ると十分な意匠形状が得られなくなる。また意匠形状を有するため通常の太陽光による木漏れ日である円形とは異なる木漏れ日を発生させることができる。【００４９】  図６は本発明の第２の実施形態の照明装置を説明する図である。これは室内における実施例で、森林の上空に本発明による光源が取り付けられている。
光源は反射傘２および拡散板３および斜光板および開口部４よりなる。図５は人間の目線から見た図になっており、光源及び板材５は下から見上げた様子、投影面６は上から見下ろした様子を示している。光源には反射傘２が設けられている。不図示の吊り下げ部材により天井から吊り下げられている板材５には複数のピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。とくに図示の意匠は５つの頂点を有する星型をしており、太陽光による円形とは異なっているので、自然界では得られない木漏れ日を形成している。【００５０】  また前記投光面と前記板材との距離をａ１、前記板材と前記ライトバルブとの距離をａ２、ライトバルブによる光源の大きさをｂ１、前記板材のピンホールのピッチをｂ２、前記板材のピンホールの大きさをｃとしたときに、以下の条件
ｂ１＜２（（ａ１＋ａ２）／ａ２）＊ｂ２…（１）
を満たしている。これらを図３を用いて説明する。
光源の大きさｂ１がピンホールを通過した投影面上の大きさをｂ１’、複数のピンホールによる光源群の投影面上の距離をｂ２’とすると、
ｂ１’＝（ａ２／ａ１）＊ｂ１
ｂ２’（（ａ１＋ａ２）／ａ１）＊ｂ２
である。【００５１】  条件式（１）は光源の投影面上の大きさｂ２’とピンホールの投影面上のピッチｂ１’にから得られるものであり、投影された光源の重なりが５０％以下になるように、
ｂ１’＜２ｂ２’
より求めたもので、この条件式を満たすことにより、投影面における木漏れ日同士が重なる度合いが半分以下となるため、木漏れ日効果が失われることが無い。すなわち逆の関係になってしまうと、投影面上で木漏れ日同士が重なってしまい、意匠形状が失われてしまい、普通の照明となんら変わりなくなってしまう。【００５３】  条件式
ａ１＞２ａ２…（６）
において、この関係を満たさないと木漏れ日が視認できる明るさを得られないだけでなく、形状がぼやけてしまう。
また条件式
２ｍ＜ａ２＜２０ｍ…（７）
において、この関係は実用性のある大きさを示し、工業製品化が可能であることを示す。特に街灯や森林を利用した木漏れ日形成することができる。
また条件式
１０ｍｍ＜ｃ＜５０ｍｍ…（８）
において、特に条件式（７）において、下限を下回ると十分な光量を得ることができなくなり、上限を上回ると十分な意匠形状が得られなくなる。また意匠形状を有するため通常の太陽光による木漏れ日である円形とは異なる木漏れ日を発生させることができる。【００５４】  図７は本発明の第３の実施形態の照明装置を説明する図である。これは室内における実施例で、天井に本発明による光源が取り付けられている。
光源は反射傘２および拡散板３および斜光板および開口部４よりなる。図５は人間の目線から見た図になっており、光源及び板材５は下から見上げた様子、投影面６は上から見下ろした様子を示している。光源には反射傘２が設けられている。不図示の吊り下げ部材により天井から吊り下げられている板材５には複数のピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。とくに図示の意匠は５つの頂点を有する星型をしており、太陽光による円形とは異なっているので、自然界では得られない木漏れ日を形成している。【００５５】  また前記投光面と前記板材との距離をａ１、前記板材と前記ライトバルブとの距離をａ２、ライトバルブによる光源の大きさをｂ１、前記板材のピンホールのピッチをｂ２、前記板材のピンホールの大きさをｃとしたときに、以下の条件
ｂ１＜２（（ａ１＋ａ２）／ａ２）＊ｂ２…（１）
を満たしている。これらを図３を用いて説明する。
光源の大きさｂ１がピンホールを通過した投影面上の大きさをｂ１’、複数のピンホールによる光源群の投影面上の距離をｂ２’とすると、
ｂ１’＝（ａ２／ａ１）＊ｂ１
ｂ２’（（ａ１＋ａ２）／ａ１）＊ｂ２
である。【００５６】  条件式（１）は光源の投影面上の大きさｂ２’とピンホールの投影面上のピッチｂ１’にから得られるものであり、投影された光源の重なりが５０％以下になるように、
ｂ１’＜２ｂ２’
より求めたもので、この条件式を満たすことにより、投影面における木漏れ日同士が重なる度合いが半分以下となるため、木漏れ日効果が失われることが無い。すなわち逆の関係になってしまうと、投影面上で木漏れ日同士が重なってしまい、意匠形状が失われてしまい、普通の照明となんら変わりなくなってしまう。【００５７】  条件式
ａ１＞ａ２…（９）
において、この関係を満たさないと木漏れ日が視認できる明るさを得られないだけでなく、形状がぼやけてしまう。
また条件式
０．０１ｍ＜ａ２＜５ｍ…（１０）
において、この関係は実用性のある大きさを示し、工業製品化が可能であることを示す。特に室内において木漏れ日を形成することができる。
また条件式
５ｍｍ＜ｃ＜３０ｍｍ…（１１）
において、特に条件式（１０）において、下限を下回ると十分な光量を得ることができなくなり、上限を上回ると十分な意匠形状が得られなくなる。また意匠形状を有するため通常の太陽光による木漏れ日である円形とは異なる木漏れ日を発生させることができる。【００５８】  図８は本発明の第４の実施形態の照明装置を説明する図である。これは室内における実施例で、天井に本発明による光源が取り付けられている。また机の天面に本発明による板材が取り付けられている。
光源は反射傘２および拡散板３および斜光板および開口部４よりなる。図５は人間の目線から見た図になっており、光源及び板材５は下から見上げた様子、投影面６は上から見下ろした様子を示している。光源には反射傘２が設けられている。不図示の吊り下げ部材により天井から吊り下げられている板材５には複数のピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。とくに図示の意匠は５つの頂点を有する星型をしており、太陽光による円形とは異なっているので、自然界では得られない木漏れ日を形成している。【００５９】  また前記投光面と前記板材との距離をａ１、前記板材と前記ライトバルブとの距離をａ２、ライトバルブによる光源の大きさをｂ１、前記板材のピンホールのピッチをｂ２、前記板材のピンホールの大きさをｃとしたときに、以下の条件
ｂ１＜２（（ａ１＋ａ２）／ａ２）＊ｂ２…（１）
を満たしている。これらを図３を用いて説明する。
光源の大きさｂ１がピンホールを通過した投影面上の大きさをｂ１’、複数のピンホールによる光源群の投影面上の距離をｂ２’とすると、
ｂ１’＝（ａ２／ａ１）＊ｂ１
ｂ２’（（ａ１＋ａ２）／ａ１）＊ｂ２
である。【００６０】  条件式（１）は光源の投影面上の大きさｂ２’とピンホールの投影面上のピッチｂ１’にから得られるものであり、投影された光源の重なりが５０％以下になるように、
ｂ１’＜２ｂ２’
より求めたもので、この条件式を満たすことにより、投影面における木漏れ日同士が重なる度合いが半分以下となるため、木漏れ日効果が失われることが無い。すなわち逆の関係になってしまうと、投影面上で木漏れ日同士が重なってしまい、意匠形状が失われてしまい、普通の照明となんら変わりなくなってしまう。【００６１】  条件式
ａ１＞ａ２…（１２）
において、この関係を満たさないと木漏れ日が視認できる明るさを得られないだけでなく、形状がぼやけてしまう。
また条件式
０．０１ｍ＜ａ２＜２ｍ…（１３）
において、この関係は実用性のある大きさを示し、工業製品化が可能であることを示す。特に卓上もしくは机下において木漏れ日を形成することができる。
また条件式
０．５ｍｍ＜ｃ＜１０ｍｍ…（１４）
において、特に条件式（１３）において、下限を下回ると十分な光量を得ることができなくなり、上限を上回ると十分な意匠形状が得られなくなる。また意匠形状を有するため通常の太陽光による木漏れ日である円形とは異なる木漏れ日を発生させることができる。【００６２】  図９は、本発明の実施形態のライトバルブを説明する図である。不図示の発光源１、を反射傘２、拡散板３、斜光板および開口部４により包含し、口金７より電力を供給することにより、ライトバルブとして機能する。発光面は開口形状を示し、拡散板を有しているため、中の光源を見ることはできない。これにより、直接見ても意匠性のある光源となり、またピンホールと組み合わせることにより、意匠形状を有する木漏れ日を形成することができる。【００６３】  図１０は、本発明の実施形態の照明装置および照明方法の変形例の原理全体を説明する図である。光源は反射傘２および拡散板３および斜光板および開口部４よりなる。図１０において光源及び板材５は下から見上げた様子、投影面６は上から見下ろした様子を示している。光源には反射傘２が設けられている。板材５にはピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。とくに図示の意匠は５つの頂点を有する星型をしており、太陽光による円形とは異なっているので、自然界では得られない木漏れ日を形成している。このとき板材５のピンホール以外の板部分の透過率は０％である。そのため投影面６にはピンホールによる光源の投影像が周囲の光の無いコントラストのよい状態で鑑賞することができる。【００６４】  図１１は、本発明の実施形態の照明装置および照明方法の変形例の原理全体を説明する図である。光源は反射傘２および拡散板３および斜光板および開口部４よりなる。図１１において光源及び板材５は下から見上げた様子、投影面６は上から見下ろした様子を示している。光源には反射傘２が設けられている。板材５にはピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。とくに図示の意匠は５つの頂点を有する星型をしており、太陽光による円形とは異なっているので、自然界では得られない木漏れ日を形成している。このとき板材５のピンホール以外の板部分の透過率は以下の条件式
３０％＜α＜７０％
を満たしている。すなわち全体においてほどよい照明効果を得ながら、ピンホールによる光源の投影像を鑑賞することができる。下限を下回ると十分な照明効果が得られなくなり、上限を上回ると木漏れ日効果が消失してしまう。【００６５】  図１２は、板材５の変形例を示している。板材５の光源側の面が反射面でできており、ピンホールを通過しない光は光源側に返されることになる。この光はさらに天井で反射されることになり、結果として間接照明を行うことになる。
これにより、ピンホールによる投影像を損なうことなく、周囲を証明することができる。【００６６】  図１３は、本発明の実施形態の照明装置および照明方法の変形例の原理全体を説明する図である。光源は反射傘２および拡散板３および斜光板および開口部４よりなる。板材５にはピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。さらに板材５の投影方向投影面側近傍に別の板材５’が配置されている。板材５と板材５’は異なる透過率を有し、板材５のほうが透過率が高い。また投影方向の距離が異なるので、投影面に形成される像の大きさが異なる。したがってよりバリエーションに富んだ投影像を形成することができる。【００６７】  図１４は、本発明の実施形態の照明装置および照明方法の変形例の原理全体を説明する図である。光源は反射傘２および拡散板３および斜光板および開口部４よりなる。板材５にはピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。板材５と板材５’は配置される位置が光軸垂直面内において異なるので、また投影方向の距離が異なるので、投影面に形成される像の大きさが異なる。したがってよりバリエーションに富んだ投影像を形成することができる。【００６８】  図１５、１６は、本発明の板材の変形例を説明する図である。投影方向中央に板材５を配置し、その投影方向光源側に５’、投影面側に５’’を配している。本実施例の板材として、これを用いることにより、投影方向の距離が異なるので、投影面に形成される像の大きさが異なる。したがってよりバリエーションに富んだ投影像を形成することができる。【００７６】  図１７は、本発明の実施形態の照明装置および照明方法の変形例の原理全体を説明する図である。光源は反射傘２および拡散板３および斜光板および開口部４よりなる。板材５にはピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。拡散板３は、前記板材のピンホールが設置されている面の大きさの＋５０％以内の大きさになるように設定されている。すなわち板材の周辺に周辺照明部を形成することにより、木漏れ日が投影される投影面以外に通常照明を行うことができる。【００６９】  図１８は、本発明の実施形態の照明装置および照明方法の変形例の原理全体を説明する図である。光源は反射傘２および拡散板３および斜光板および開口部４よりなる。板材５にはピンホールが設けられている。光源は斜光板により意匠形状に発光しており、さらに拡散板３を通して意匠形状を有した拡散光を発している。これをピンホールを有する板材５を通��ことにより、ピンホールカメラの原理により、投影面６上に、意匠形状有する照明光が投光される。このとき前記ピンホール形状はハート型、前記光源の形状は星型とする。ピンホール形状にかかわらず、前記光源の形状が投影される。したがって前記板材の前記ピンホール形状は、前記バルブ面の意匠性を有する光導出形状とは異なることで、観察者に意外性を与えることができる。【００７０】  図１９は、本発明の実施形態の照明装置および照明方法の変形例の原理全体を説明する図である。光源は反射傘２および拡散板３および斜光板および開口部４よりなる。板材５にはピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。
実践で示される光路では、光源からの光は、斜線でしめされる板材５’および板材５’’のピンホールを通過して、投影像を形成することができるが、点線で示される光路では、光源からの光は、塗りつぶされている板材５’のピンホールは通過できるが、板材５’’を通過することはできないので、投影像を形成することができない。したがって、前記板材は複数の板材よりなり、その組み合わせによりピンホールを生成することができるので、多様なピンホール形状を生成することができる。【００７１】  図２０は、本発明の実施形態の照明装置および照明方法の変形例の原理全体を説明する図である。光源は反射傘２および拡散板３および斜光板および開口部４よりなる。板材５にはピンホールが設けられている。光源は斜光板により意匠形状に発光しており、さらに拡散板３を通して意匠形状を有した拡散光を発している。これをピンホールを有する板材５を通すことにより、ピンホールカメラの原理により、投影面６上に、意匠形状有する照明光が投光される。
前記複数の板材はスリット様であり、それぞれの板材のスリットが平行にならないように組み合わせることによりピンホールを生成することができる。
したがって、簡易な操作で多様なピンホール形状を生成することができる。【００７２】  図２１は、本発明の実施形態の照明装置および照明方法の変形例の原理全体を説明する図である。図２２（ａ）に示される一点鎖線による断面図を図２２（ｂ）もしくは図２２（ｃ）で示す。前記板材のピンホールは、一方の面側の大きさともう一方の面側の大きさが異なる。したがって、厚さに起因する実質的なピンホールの大きさを軽減することができる。【００７３】  図２２は、本発明の実施形態の照明装置および照明方法の変形例の原理全体を説明する図である。図２３（ａ）に示される一点鎖線による断面図を図２３（ｂ）で示す。前記板材のピンホールは、前記板材の面における垂直方向において、一方の面側のピンホール位置ともう一方の面側のピンホール位置が異なる。したがって厚さに起因する実質的なピンホールの大きさを軽減することができる。
【産業上の利用可能性】
【００７４】  本発明を適用することにより、自然な照明や癒し効果を与える照明を提供することが可能となる。
【図面の簡単な説明】
【００７５】
【図１】本発明の実施形態の照明装置および照明方法の原理全体を説明する図である。
【図２】本発明の実施形態の照明装置および照明方法の原理全体を説明する図である。
【図３】本発明の実施形態の照明装置および照明方法の原理全体を説明する図である。
【図４】本発明の実施形態の照明装置および照明方法の原理全体を説明する図である。
【図５】本発明の第１の実施形態の照明装置を説明する図である。
【図６】本発明の第２の実施形態の照明装置を説明する図である。
【図７】本発明の第３の実施形態の照明方法を説明する図である。
【図８】本発明の第４の実施形態の照明方法を説明する図である。
【図９】本発明の実施形態のライトバルブを説明する図である。
【図１０】本発明の実施形態の照明装置および照明方法の変形例の原理全体を説明する図である。
【図１１】本発明の実施形態の照明装置および照明方法の変形例の原理全体を説明する図である。
【図１２】本発明の実施形態の板材の変形例を説明する図である。
【図１３】本発明の実施形態の照明装置および照明方法の変形例の原理全体を説明する図である。
【図１４】本発明の実施形態の照明装置および照明方法の変形例の原理全体を説明する図である。
【図１５】本発明の板材の変形例を説明する図である。
【図１６】本発明の板材の変形例を説明する図である。
【図１７】本発明の実施形態の照明装置および照明方法の変形例の原理全体を説明する図である。
【図１８】本発明の実施形態の照明装置および照明方法の変形例の原理全体を説明する図である。
【図１９】本発明の実施形態の照明装置および照明方法の変形例の原理全体を説明する図である。
【図２０】本発明の実施形態の照明装置および照明方法の変形例の原理全体を説明する図である。
【図２１】本発明の板材の変形例を説明する図である。
【図２２】本発明の板材の変形例を説明する図である。
【符号の説明】
【００７６】１  発光源
２  反射傘
３  拡散板
４  斜光板および開口部
５  板材
６  投影面
７  口金
【図１】
2007207735.tif 000003
【図２】
2007207735.tif 000004
【図３】
2007207735.tif 000005
【図４】
2007207735.tif 000006
【図５】
2007207735.tif 000007
【図６】
2007207735.tif 000008
【図７】
2007207735.tif 000009
【図８】
2007207735.tif 000010
【図９】
2007207735.tif 000011
【図１０】
2007207735.tif 000012
【図１１】
2007207735.tif 000013
【図１２】
2007207735.tif 000014
【図１３】
2007207735.tif 000015
【図１４】
2007207735.tif 000016
【図１５】
2007207735.tif 000017
【図１６】
2007207735.tif 000018
【図１７】
2007207735.tif 000019
【図１８】
2007207735.tif 000020
【図１９】
2007207735.tif 000021
【図２０】
2007207735.tif 000022
【図２１】
2007207735.tif 000023
【図２２】
2007207735.tif 000024